(57)【要約】      （修正有）【課題】ターンテーブル上に投入された麻雀牌をターンテーブルにより攪拌しながら麻雀牌配列装置側に送り込む際に、麻雀牌の上向きになった面に積極的に摺擦させながら麻雀牌を綺麗に清掃することができる麻雀牌の自動清掃装置を提供する。【解決手段】麻雀牌投入口を設けている天板とターンテーブル１３との間の空間部に配設された短筒形状の固定枠体１と、この固定枠体１の内壁面に沿って上下方向に移動可能に配設した円環部材２と、円環部材２に吊支され、ターンテーブル１３とは逆方向に回転する円筒体３と、この円筒体３の下端に設けられ、下面に清掃部材４を装着している取付板３ａとを備え、ターンテーブル１３上に投入された麻雀牌をこの清掃部材４の下面に摺擦させながら清掃するように構成している。【選択図】図６
2019201824.tif 000002
【特許請求の範囲】
【請求項１】
麻雀牌投入口を設けている天板と麻雀牌を攪拌するターンテーブルとの間の空間部に配設された短筒形状の固定枠体と、この固定枠体の内壁面に沿って上下方向に移動可能に配設した円環部材と、この円環部材に吊支され、下端に清掃部材取付板を設けている円筒体と、この円筒体の上記清掃部材取付板の下面に着脱自在に装着された清掃部材とを備え、上記円筒体内を通じてターンテーブル上に投入された麻雀牌を上記清掃部材の下面に摺擦させながら上記円筒体外に送り出すように構成していることを特徴とする麻雀牌の自動清掃装置。
【請求項２】
円筒体を回転駆動機構によって円環部材に対してターンテーブルの回転方向と逆方向に回転させるように構成していることを特徴とする請求項１に記載の麻雀牌の自動清掃装置。
【請求項３】
円筒体の回転駆動機構は、円環部材に支持された円筒体の上端外周縁部の下面に設けられたリング状の歯車と、上記円環部材に設けられた回転駆動モータと、このモータの回転軸に固着して上記歯車に噛合しているピニオンとからなることを特徴とする請求項１又は請求項２に記載の麻雀牌の自動清掃装置。
【請求項４】
円環部材は固定枠体に対して上下駆動機構によって上下動させられて、清掃部材とターンテーブルとの間の隙間を麻雀牌がターンテーブルから送り出し可能な隙間と送り出しを阻止する隙間とに交互に変化させるように構成していることを特徴とする請求項１に記載の麻雀牌の自動清掃装置。
【請求項５】
上下駆動機構は、上記固定枠体に設けている駆動モータと、このモータの回転軸に固着したクランク部材の先端に取り付けられている駆動転子と、固定枠体の内周面に周方向に所定間隔毎に設けている複数個の支持転子と、円環部材に上記各支持転子に対応して設けられ、支持転子によって受止されている台形状のカム面と、円環部材の外周面に設けられ、上記駆動転子を上下方向に案内する縦溝とからなり、上記駆動モータの駆動により旋回する上記駆動転子によって上記縦溝を介して円環部材を周方向に往復動させて上記支持転子により支持された台形状のカム面を介して円環部材を上下方向に昇降させるように構成していることを特徴とする請求項１又は請求項４に記載の麻雀牌の自動清掃装置。
【請求項６】
清掃部材は布帛、フェルト、モップの布状雑巾等の清掃用シート材からなり、この清掃部材を数枚、その内周部が清掃部材取付板の内周端面から内方向に突出するように上記円筒体の清掃部材取付板の下面に周方向に順次連続するように貼着して円形環状の清掃部材に形成していることを特徴とする請求項１に記載の麻雀牌の自動清掃装置。
【請求項７】
円筒体は自動麻雀卓の天板中央部に設けられたサイコロ台の支柱を中心にして麻雀牌投入口を設けている天板と麻雀牌を攪拌するターンテーブルとの間の空間部に配設されてあり、円筒体の中心部にある支柱の外周面に円筒状清掃部材を着脱自在に装着していることを特徴とする請求項１に記載の麻雀牌の自動清掃装置。
【発明の詳細な説明】
【技術分野】
【０００１】
本発明は、自動麻雀卓内に配設された麻雀牌の清掃装置であって、ゲーム中に麻雀牌を綺麗に清掃することができる麻雀牌自動清掃装置に関する。
【背景技術】
【０００２】
自動麻雀卓においては、二組の麻雀牌を使用して、一方の組の麻雀牌によってゲームを行う間に他方の組の麻雀牌を卓内でターンテーブルによって攪拌し、牌整列装置によって次のゲームを行えるように壁牌に整列させて待機させているが、長時間に亘ってゲームを行うと、麻雀牌が手垢や埃等によって汚損し、不衛生であるばかりでなく、手触りが悪くてゲームの妨げになる虞れがある。
【０００３】
このため、例えば、特許文献１に記載されているように、スポンジ等の清掃材を布で包んだ球状清掃体を全自動麻雀卓内に配設された円筒状のホッパーによって囲まれている傾斜ターンテーブル上に投入してこの傾斜ターンテーブル上に投入された麻雀牌と共に傾斜ターンテーブルの回転によって攪拌することにより、該球状洗浄体によって麻雀牌を洗浄、清掃する方法が開発されている。
【０００４】
また、特許文献２には、傾斜したターンテーブルを囲んでいるホッパーの内壁面の下部に清掃部材（払拭部材）を装着し、上記ターンテーブル上に投入された麻雀牌をターンテーブルによって攪拌しながら上記清掃部材に摺接させて汚れを拭き取らせるように構成した麻雀牌の清掃装置が記載されている。
【０００５】
さらに、特許文献３には、麻雀牌の攪拌を行うホッパー内のターンテーブル上に牌磨きマットを貼着すると共にこの牌磨きマットの外周縁上にホッパーの内周面に沿って固定円筒体を配設し、上記牌磨きマットの上面に数本の突起を放射状に突設している一方、上記固定円筒体の内周面に上下方向に長い複数本の突出部を周方向に適宜間隔毎に突設してなり、ターンテーブル上に貼着している上記牌磨きマット上に麻雀牌を投入してターンテーブルを正方向、逆方向に交互に回転させることにより、固定円筒体内で麻雀牌を牌磨きマットに摺接させて汚れを落とすように構成した牌清浄装置が記載されている。
【先行技術文献】
【特許文献】
【０００６】
【特許文献１】特開昭６２−１３７０８０号公報
【特許文献２】特開平１１−２６７３５３号公報
【特許文献３】実開平０１−０３１７９１号公報
【発明の開示】
【発明が解決しようとする課題】
【０００７】
しかしながら、上記特許文献１に記載の麻雀牌の洗浄、清掃方法によれば、ターンテーブルの回転によって麻雀牌と球状洗浄体とを攪拌する際に、麻雀牌よりも球状洗浄体が軽いために、球状洗浄体が麻雀牌の上に乗った状態となって洗浄効率が著しく低下するばかりでなく、麻雀牌は傾斜したターンテーブルの回転力によってこのターンテーブルの低位置から高位置に移動しながらターンテーブルの上傾端から牌排出口を通じて牌整列装置側に送給されるものであるから、球状洗浄体と接触しない麻雀牌が生じて洗浄ムラが生じる虞れがあると共に、球状洗浄体と接触してもその接触による洗浄時間は極めて短くて、充分な洗浄、清掃効果を期待することができなくなるといった問題点がある。
【０００８】
一方、上記特許文献２に記載の麻雀牌の清掃装置によれば、ホッパーの内周壁の下部に清掃部材を装着しているので、麻雀牌が傾斜したターンテーブルの回転力によってこのターンテーブルの下傾端側から上傾端側に移動する際に上記清掃部材に接触させることができるが、殆どの麻雀牌は、その六面のうちの一面のみを清掃部材に摺接させながら清掃されることになり、且つ、清掃部材との接触時間も極めて短いので、上記同様に充分な洗浄、清掃効果を期待することができないといった問題点がある。
【０００９】
また、上記特許文献３に記載の牌清浄装置によれば、ターンテーブルの回転によって麻雀牌を牌磨きマットの外周縁部にまで移動させ、外周縁部上で固定円筒体の内周面に突設している突出部に衝突、受止させることによって牌磨きマットとの摩擦力を増大させて汚れの清掃効果を高めようとしているが、突出部とによって受止される時間は瞬間であって直ちに突出部から離れてしまうために、充分な洗浄効果を期待できないばかりでなく、ターンテーブル上に貼着している牌磨きマットはその外周部を除く大部分が麻雀牌の洗浄に供することができないといった問題点がある。
【００１０】
さらに、この牌洗浄装置によれば、麻雀牌が固定円筒体内から外部に排出されるのを阻止しながら、固定円筒体によって囲まれた牌磨きマット上で麻雀牌の清掃を行うように構成しているので、麻雀競技を行う際には、ホッパーから固定内筒体を取り外すと共にターンテーブル上から牌磨きマットを剥離して除去しなければならず、牌洗浄装置をターンテーブル上に設置した状態を維持しながら麻雀競技を行うことができないといった問題点がある。
【００１１】
本発明はこのような問題点に鑑みてなされたもので、その目的とするところは、ターンテーブル上の空間部を利用して設けられ、自動麻雀卓におけるターンテーブル上に投入された麻雀牌をターンテーブルにより攪拌しながらターンテーブルから四方に配設している麻雀牌配列装置側に送り込む際に、ターンテーブルの上方に上下動可能に配設した清掃部材をターンテーブルの回転に伴って麻雀牌に積極的に摺擦させながら麻雀牌を綺麗に清掃することができる麻雀牌の自動清掃装置を提供するにある。
【課題を解決するための手段】
【００１２】
上記目的を達成するために、本発明の麻雀牌の自動清掃装置は、請求項１に記載したように、麻雀牌投入口を設けている天板と麻雀牌を攪拌するターンテーブルとの間の空間部に配設された短筒形状の固定枠体と、この固定枠体の内壁面に沿って上下方向に移動可能に配設した円環部材と、この円環部材に吊支され、下端に清掃部材取付板を設けている円筒体と、この円筒体の上記清掃部材取付板の下面に着脱自在に装着された清掃部材とを備え、上記円筒体内を通じてターンテーブル上に投入された麻雀牌を上記清掃部材の下面に摺擦させながら上記円筒体外に送り出すように構成していることを特徴とする。
【００１３】
このように構成した麻雀牌の自動清掃装置において、請求項２に係る発明は、上記円筒体を回転駆動機構によって円環部材に対してターンテーブルの回転方向と逆方向に回転させるように構成していることを特徴とする。
【００１４】
請求項３に係る発明は、上記円筒体の回転駆動機構は、円環部材に支持された円筒体の上端外周縁部の下面に設けられたリング状の歯車と、上記円環部材に設けられた回転駆動モータと、このモータの回転軸に固着して上記歯車に噛合しているピニオンとからなることを特徴とする。
【００１５】
請求項４に係る発明は、上記円環部材は固定枠体に対して上下駆動機構によって強制的に上下動させられて、上記清掃部材と上記ターンテーブルとの間の隙間を麻雀牌がターンテーブルから送り出し可能な隙間と送り出しを阻止する隙間とに交互に変化させるように構成していることを特徴とする。
【００１６】
請求項５に係る発明は、上記上下駆動機構は、上記固定枠体に設けている駆動モータと、このモータの回転軸に固着したクランク部材の先端に取り付けられている駆動転子と、固定枠体の内周面に周方向に所定間隔毎に設けている複数個の支持転子と、上記円環部材に上記各支持転子に対応して設けられ、支持転子によって受止されている台形状のカム面と、円環部材の外周面に設けられ、上記駆動転子を上下方向に案内する縦溝とからなり、上記モータの駆動により旋回する上記駆動転子によって上記縦溝を介して円環部材を周方向に往復動させて上記支持転子により支持された台形状のカム面を介して円環部材を上下方向に昇降させるように構成していることを特徴とする。
【００１７】
請求項６に係る発明は、上記清掃部材は布帛、フェルト、モップの布状雑巾等の清掃用シート材からなり、この清掃部材を数枚、その内周部が清掃部材取付板の内周端面から内方向に突出するように上記円筒体の清掃部材取付板の下面に周方向に順次連続するように貼着して円形環状の清掃部材に形成していることを特徴とする。
【００１８】
また、請求項７に係る発明は、自動麻雀卓の天板中央部に設けられたサイコロ台の支柱に上記円筒体の中心部に位置させて円筒状清掃部材を着脱自在に装着していることを特徴とする。
【発明の効果】
【００１９】
請求項１に係る発明によれば、麻雀牌投入口を設けている天板と麻雀牌を攪拌するターンテーブルとの間の空間部内において、ターンテーブルの上面に対向するように清掃部材取付板に清掃部材を装着している円筒体を円環部材に吊支させ、この円環部材を短筒形状の固定枠体の内壁面に沿って上下方向に移動可能に配設しているので、投入口からターンテーブル上に投入された麻雀牌をターンテーブルの回転に伴って攪拌しながら円筒体の下端面とターンテーブルとの間の隙間を通じてターンテーブルの外周縁部側に送り出す際に、上記清掃部材取付板の下面に装着している清掃部材を麻雀牌の上向きとなった面にターンテーブルの回転と円筒体の自重とによって積極的に摺擦させながら麻雀牌を清掃することができる。
【００２０】
この際、ターンテーブル上に投入された麻雀牌は、円筒体内で積み重なったり、ターンテーブルの回転によって、傾動、転動してその姿勢を変化させながらターンテーブルと円筒体の下端の清掃部材取付板に装着したフ清掃部材との間に進入するが、円筒体は上下方向に移動可能な円環部材によって吊支されているので、麻雀牌が上向きとなった面を円筒体の下端の清掃部材取付板に装着している清掃部材の下面に摺擦させながら清掃部材に対して周方向及び幅方向に移動して清掃部材の下面全面を麻雀牌の清掃に供することができると共に、清掃部材からの通過時間、即ち、清掃時間が長くなって麻雀牌を綺麗に清掃することができる。
【００２１】
また、上記清掃部材は、円環部材に吊支された円筒体の下端に設けている清掃部材取付板下面に着脱自在に装着されているので、円筒体のみを取り出して新しい清掃部材と簡単に取り替えることができる。
【００２２】
さらに、請求項２及び請求項３に係る発明によれば、清掃部材取付板の下面に清掃部材を装着している上記円筒体は、回転駆動機構によって円環部材に対してターンテーブルの回転方向と逆方向に回転するように構成しているので、麻雀牌の上向き面に対する清掃部材による摺擦力が極めて大きくなって麻雀牌の汚れを効果的に拭き取ることができると共に、円筒体とターンテーブルとの相反する方向の回転力によって麻雀牌に対するターンテーブル及び清掃部材の摩擦係止力が大きくなり、麻雀牌がその摩擦係止力によって反転させられながら異なった面を上記清掃部材によって清掃することができる。
【００２３】
請求項４に係る発明によれば、上記円環部材は上下駆動機構によって固定枠体に対し強制的に上下動させられて、上記清掃部材と上記ターンテーブルとの間の隙間を麻雀牌がターンテーブルから送り出し可能な隙間と送り出しを阻止する隙間とに交互に変化させるように構成しているので、投入口からターンテーブル上に投入された多数の麻雀牌をターンテーブルの回転によって清掃部材側に急激に且つ連続的に送り込まれるのを抑止し、清掃部材によって清掃処理可能な数の麻雀牌を順次断続的に清掃部材とターンテーブルとの間に送り込んで清掃部材によるこれらの麻雀牌を綺麗に清掃することができる。
【００２４】
上記上下駆動機構は、請求項５に記載したように、上記固定枠体に設けているモータによってクランクアーム部材を介してモータの回転軸回りに公転する駆動転子を上記円環部材に設けている縦溝の対向する内側面間に介在させている一方、上記円環部材を上記固定枠体に支持転子によって周方向に移動可能に支持させ、この支持転子を円環部材に設けている台形状のカム面に摺接させているので、上記モータの駆動により旋回する上記駆動転子によって上記縦溝を介して円環部材を周方向に往復動させて上記支持転子により支持された台形状のカム面を介して円環部材を上下方向に円滑に昇降させることができ、上記清掃部材と上記ターンテーブルとの間の隙間を麻雀牌がターンテーブルから送り出し可能な隙間と送り出しを阻止する隙間とに交互に変化させることができる。
【００２５】
上記清掃部材としては、請求項６に記載したように、布帛やフェルト、モップの布状雑巾等の清掃用シート材からなり、この清掃部材を数枚、その内周部が清掃部材取付板の内周端面から内方向に突出するように上記円筒体の清掃部材取付板の下面に周方向に順次連続するように貼着して円形環状の清掃部材に形成しているので、比較的広い清掃面積を有する清掃部材を円筒体の下端の清掃部材取付板に装着しておくことができ、円筒体内に投入された麻雀牌を清掃部材取付板の内周端面から内方向に突出している清掃部材の内周端面に摺擦させて清掃したのち、清掃部材の下面によって麻雀牌を清掃することができて、汚れを効果的に拭い去ることができる。
【００２６】
また、請求項７に係る発明によれば、自動麻雀卓の天板中央部に設けられたサイコロ台の支柱に上記円筒体の中心部に位置させて円筒状清掃部材を着脱自在に装着しているので、ターンテーブル上に投入された麻雀牌がターンテーブルの回転によって上記円筒体の下端の清掃部材取付板に取り付けている清掃部材側に送り込まれる前に、この円筒状清掃部材に摺擦する麻雀牌の面を清掃することができる。
【図面の簡単な説明】
【００２７】
【図１】本発明麻雀牌の自動清掃装置を備えた自動麻雀卓の斜視図。
【図２】その天板を取り外した状態の平面図。
【図３】麻雀牌の自動清掃装置の上面側から見た斜視図。
【図４】麻雀牌の自動清掃装置の下面側から見た斜視図。
【図５】麻雀牌の自動清掃装置の分解斜視図。
【図６】清掃部材の作動を説明するための一部を切欠、展開した状態の縦断面図。
【図７】清掃部材を備えた円筒体を低位置まで下降させた状態の縦断面図。
【図８】その時の作動状態を示す一部を切欠、展開した状態の縦断面図。
【図９】清掃部材を備えた円筒体が中間位置にある状態の縦断面図。
【図１０】その時の作動状態を示す一部を切欠、展開した状態の縦断面図。
【図１１】清掃部材を備えた円筒体が高位置にある状態の縦断面図。
【図１２】その時の作動状態を示す一部を切欠、展開した状態の縦断面図。
【発明を実施するための形態】
【００２８】
次に、本発明の具体的な実施例を図面について説明すると、麻雀牌の自動清掃装置Ａは、自動麻雀卓10における牌投入口12を設けている天板11と、この天板11の下方において、上記牌投入口12から投入された牌Ｂを攪拌するターンテーブル13との間の空間部に配設されていて、短筒形状の固定枠体１と、この固定枠体１の内壁面に沿って上下方向に移動可能に配設した円環部材２と、この円環部材２に吊支され、下端に清掃部材４を取付けた環状板部3aを設けている円筒体３と、この円筒体３の回転駆動機構５と、円筒体３を吊支している上記円環部材２を上下動させる上下駆動機構６とを備えている。
【００２９】
自動清掃装置Ａにおける上記短筒形状の固定枠体１は、その径が自動麻雀卓10における上記牌投入口12の開口幅に略等しい寸法に形成されてあり、短筒形状に形成されているその周壁部1aの円形の上端開口縁には、該開口縁から外側に向かって水平に突出している矩形枠部1bが一体に設けられている。上記周壁部1aの内周面における下端部には、上記円環部材２を周方向及び上下方向に移動可能に支持した複数個の支持転子８が周方向に所定間隔毎に配設されていて周壁部1aの内壁面に回転自在に軸支されている。
【００３０】
さらに、固定枠体１における上記周壁部1aには、周方向に所定間隔を存してこの周壁部1cの一部を切欠きすることによって形成した開口部1c、1dが設けられていると共に上記矩形枠部1bの四方外周端に断面Ｌ字状の取付枠部1eが設けられている。
【００３１】
自動麻雀卓10における上記天板11の中央部にはサイコロ台14が設けられてあり、このサイコー台14はターンテーブル13の中心部を貫通して上方に突設している支柱15の上端に装着されている。そして、自動清掃装置Ａにおける上記短筒形状の固定枠体１は、上記支柱15を中心にしてその周壁部1aの内周面が支柱15から一定間隔を存した状態となるように配設されてあり、この状態にして周壁部1aの上端に設けている上記取付枠部1eを自動麻雀卓10における側壁16に固着している。なお、天板11の中央部に設けている上記牌投入口12には、この投入口12を開閉する開閉蓋（図示せず）が設けられている。
【００３２】
自動清掃装置Ａにおける上記円環部材２は図６、図７等に示すように、、上記固体枠体１内において、その外周面をこの固定枠体１の周壁部1aの内周面に近接又は摺接させながら周壁部1aの内周面に沿って上下方向に移動可能に配設されてあり、その下半部には周方向に上記固定枠体１の周壁部1aの内周面に設けている支持転子８の周方向の間隔と同一間隔毎に、台形状のカム面2aが形成されていて、各支持転子８上に各カム面2aをそれぞれ受止させることにより、これらの支持転子８によって円環部材２をカム面2aを介して左右方向（周方向）及び上下方向に移動可能に支持している。さらに、円環部材２における上下方向の中間部内周面には内方に向かって一定幅を有する環状の水平支持片2bが突設している。
【００３３】
自動清掃装置Ａにおける上記円筒体３は、上記円環部材２よりも小径で且つ上記固定枠体１の周壁部1aの上下方向の長さよりも長い円筒形状に形成されていて、図５に示すように、その上端開口部に設けている外周縁部の下面に多数の歯を周方向に連続的に形成してなるリング状の歯車5aがその歯を下向きにした状態にして一体に設けられてあり、さらに、この円筒体３の下端に内方に向かって水平状に突出した一定幅を有する環状の清掃部材取付板3aが突設されていて、この清掃部材取付板3aの下面全面に一定厚みを有する上記清掃部材４を着脱自在に装着している。
【００３４】
なお、上記清掃部材取付板3aの上面は外周端から内周端に向かって下方に傾斜した傾斜面に形成されていて、牌投入口12から円筒体３内に麻雀牌Ｂが投入された際に、上記清掃部材取付板3aの上面上に落下した麻雀牌Ｂをこの傾斜面を伝ってターンテーブル13上に落とし込むようにしている。
【００３５】
このように構成した円筒体３は、上記固定枠体１の内周面に複数個の支持転子８を介して支持された上記円環部材２内に上方から挿入されて、その上端外周縁部に設けている上記リング状の歯車5aを円環部材２の内周面に設けている上記環状の水平支持片2b上に周方向に移動可能に受止させて円筒体３を円環部材２に吊支させていると共に、この円筒体３の下半部を上記固定枠体１の下端開口部から下方に突出させている。
【００３６】
さらに、上記円環部材２の外周面には図５に示すように、円筒体３の駆動モータ5bが取り付けられてあり、この駆動モータ5bの回転軸を円環部材２の壁部を貫通して円環部材２の内周面から内方に突出させてその先端に上記歯車5aに噛合したピニオン5cを固着している。
【００３７】
ピニオン5cと歯車5aとの噛合状態は、円環部材２における上記環状の水平支持片2bの一部を切除してその切除部2cからピニオン5cの上周部側の歯をその高さだけ上方に突出させ、その突出した歯に上記歯車5aを噛合させてあり、円筒体３の回転駆動機構は、円筒体３の上端外周縁部に設けている上記リング状の歯車5aと、上記円環部材２に設けられた駆動モータ5bと、この駆動モータ5bの回転軸に固着している上記ピニオン5cとからなり、駆動モータ5bを駆動することによって円筒体３を自動麻雀卓30のターンテーブル13の回転方向に対して逆方向に回転させるように構成している。
【００３８】
また、上記固定枠体１の周壁部1aの外周面にモータ設置枠1fを一体に設けてあり、このモータ設置枠1fに上記円環部材２を左右に往復回動させるための円環部材駆動モータ6aが設置されている。この駆動モータ6aによって直接、又は、噛合歯車列等（図示せず）を介して間接的に回転させられる回転軸6a1 の先端に、上記円環部材２の外周面に近接させて回転軸6a1 に直交する方向にクランクアーム部材6bの基端部を固着し、このクランクアーム部材6bの先端部に上記回転軸回りに公転する駆動転子6cを取り付けてあり、この駆動転子6cを図５に示すように、固定枠体１の周壁部に形成した上記切欠開口部1cを通じて上記円環部材２の外周面に臨ませている。
【００３９】
一方、上記切欠開口部1cから内方に向かって臨ませている駆動転子6cに対向させて上記円環部材２の外周面に、この駆動転子6cを対向する内側面間に介在させて上下方向に案内する縦溝2dが設けられてあり、円環部材２を上下動させる上記上下駆動機構６は、上記駆動モータ6aと、このモータ6aの回転軸6a1 に固着したクランクアーム部材6bの先端に取り付けられている駆動転子6cと、上記固定枠体１の周壁部1aの内周面に周方向に所定間隔毎に取り付けている複数個の支持転子８と、上記円環部材２に上記各支持転子８に対応して設けられてそれぞれ各支持転子８によって受止されている台形状のカム面2aと、円環部材２の外周面に設けられ、上記駆動転子6cを上下方向に摺動自在に案内する縦溝2dとから構成されている。
【００４０】
このように構成した円環部材２の上下駆動機構６は、上記駆動モータ6aを回転させると、円環部材２の外周面に設けている上記縦溝2d内を、駆動モータ6aの回転によってクランクアーム部材6bを介して駆動転子6cが回転軸6a1 の回りに旋回しながら縦溝2dの平行に対向する内側面に沿って上下動し、クランクアーム部材6bの長さに応じた距離だけ、円環部材２を正方向と逆方向に交互に周方向に移動させ、その移動によって円環部材２に設けている台形状のカム面2aにおける上下方向に緩傾斜した傾斜面2a1 が支持転子８上を上記正方向と逆方向に交互に摺動しながら円環部材２を円筒体３と共に固定枠体１に対して上下方向に移動させるように構成している。
【００４１】
この際、カム面５の上端面に支持転子８が達した時に、図７、図８に示すように、円環部材２が最下位の位置まで降下した状態となるが、この時の円筒体３の清掃部材取付板3aに装着した清掃部材４と上記ターンテーブル33との間の隙間が、ターンテーブル13上に投入された麻雀牌Ｂの厚みよりも小さくなるようにしてターンテーブル13からの牌Ｂの送り出しを阻止するようにしてあり、図11、図12に示すように、カム面５の傾斜面2a1 の下端に駆動転子6cが達した時に、円環部材２が最上位の位置まで上昇した状態となって、この時の円筒体３の清掃部材取付板3aに装着した清掃部材４と上記ターンテーブル13との間の隙間が、麻雀牌Ｂの長さ寸法よりも僅かに大きくなるようにしてターンテーブル13から麻雀牌Ｂをこの隙間を通じて円筒体３外に送り出すことができるように構成している。
【００４２】
円筒体３の清掃部材取付板3aの下面に着脱自在に装着されている清掃部材４は、一定厚みを有する布帛、フェルト、モップの布状雑巾等の清掃用シート材からなり、この清掃用シート材を裁断して、図４に示すように、外周端面が上記清掃部材取付板3aの外周端面に合致する円弧状端面に形成され、且つその周方向の両端部から長さ方向の中央部に向かって清掃部材取付板3aの幅よりも徐々に幅広くなった蒲鉾状に湾曲した複数枚（図においては３枚）の清掃部材4aを形成し、これらの清掃部材4aを清掃部材取付板3aの下面に周方向に順次、連続するようにファスナー等を介して着脱自在に装着して内周部が清掃部材取付板3aの内周端面から内方に突出させた同形の円形環状の清掃部材４を形成している。
【００４３】
また、上記円筒体３の中心部に設けられている上記サイコロ台14の支柱15に円筒状の清掃部材９が着脱自在に装着されてあり、この円筒状清掃部材９の外周面と円筒体３の清掃部材取付板3aの内周端面との間の空間部を通じて麻雀牌Ｂをターンテーブル13上に落下させるように構成している。
【００４４】
自動麻雀卓は、公知のように、ターンテーブル13上で攪拌された牌Ｂをターンテーブル13の四方に配した牌送り込み機構17から手牌待機台18上と築牌待機台19上とに所定個数の牌Ｂをそれぞれ送り込み、これらの手牌待機台18上と築牌待機台19上とに配列した牌Ｂを手牌エレベータ20上と築牌エレベータ21にそれぞれ移載させてこれらの手牌エレベータ20上と築牌エレベータ21とを上昇させ、天板11の四方に設けて細長長方形状の手牌開口口22と築牌開口口23にそれぞれ配設して競技を開始するように構成している。
【００４５】
なお、本発明の麻雀牌自動清掃装置は、上記のように築牌待機台19や築牌エレベータ21と共に手牌待機台18や手牌エレベータ20を設けている自動麻雀卓に限らず、手牌待機台18や手牌エレベータ20が設けられていない自動麻雀卓に対しても採用することができる。
【００４６】
次に、上記のように構成した麻雀牌の自動清掃装置の作用を述べる。麻雀競技を行うに際して、天板11の中央部に設けている牌投入口12を開き、且つ、ターンテーブル13を回転させると共に麻雀牌の自動清掃装置における円筒体３の回転駆動機構５と上下駆動機構６とを作動させた状態にして、天板11上にある全ての麻雀牌Ｂを牌投入口13からこの牌投入口13の下方に配設している円筒体３内に麻雀牌Ｂを投入すると、先に投入された麻雀牌Ｂは円筒体３の下端に設けている環状の清掃部材取付板3aの内周端面とサイコロ台支柱15に装着している円筒状清掃部材９との間の空間を通じてターンテーブル13の内周部上面上に落下し、この麻雀牌Ｂ上に引き続いて投入された麻雀牌Ｂは積み重なって円筒体３内に堆積する。
【００４７】
円筒体３は回転駆動機構６によってサイコロ台支柱15を中心として回転しているので、この回転によって円筒体３内の麻雀牌Ｂが攪拌されながら上記サイコロ台支柱15に装着されて円筒体３の中心部に設けている上記円筒状清掃部材９に摺接し、この円筒状清掃部材９に接した面が清掃されると共に、円筒体３の下端の清掃部材取付板3aの下面に装着している清掃部材４はその内周部を清掃部材取付板3aの内周端面から内方に突出させているので、この突出した清掃部材４の内周部にも麻雀牌Ｂが摺接して表面に付着している汚れを清掃部材４によって拭き取らせることができる。
【００４８】
さらに、この円筒体３を吊支している円環部材２は、上記上下駆動機構６によって固定枠体１に対し上下動させられて、円筒体３の下端に設けている上記環状の清掃部材取付板3aの下面に取り付けた清掃部材４と上記ターンテーブル13との間の隙間を、麻雀牌Ｂをターンテーブルから送り出し可能な隙間と送り出しを阻止する隙間とに交互に変化させるように構成しているので、円環部材２と一体的に円筒体３が上昇して清掃部材４とターンテーブル13との間の隙間を大きくなった時に、ターンテーブル13上の麻雀牌Ｂがターンテーブル13の回転による遠心力で上記清掃部材４とターンテーブル13との間の隙間に送り込まれる。
【００４９】
適宜数の麻雀牌Ｂが上記清掃部材４とターンテーブル13との間の隙間に送り込まれると共に円筒体３が上記上下駆動機構６によって下降すると、その下端の環状の清掃部材取付板3aの下面に取り付けた清掃部材４が麻雀牌Ｂの上向きとなっている面に強く圧接すると共に、この円筒体３は回転駆動機構６によってターンテーブル13の回転方向に対して逆方向に回転しているので、清掃部材４による麻雀牌Ｂに対する摺擦力が極めて大きくなって麻雀牌Ｂの汚れを確実に落とすことができる。
【００５０】
さらに、麻雀牌Ｂが上記のように、互いに相反する方向に回転する円筒体３とターンテーブル13との対向面で挟持されているので、ターンテーブル13の回転による麻雀牌Ｂに作用する遠心力が抑制され、麻雀牌Ｂを環状の清掃部材４の下面に接してこの清掃部材４の内周端側から外周端側に向かって通過させる清掃時間が長くなり、清掃部材４に接する面を綺麗に清掃することができる。
【００５１】
その上、円筒体３が上記上下駆動機構６によって上昇して清掃部材４とターンテーブル13との間の隙間が大きくなると、上記ターンテーブル13の回転力とターンテーブル13とは逆方向に回転する円筒体３の回転力とによって麻雀牌Ｂが円筒体３を持ち上げるようにしながら転動したり反転して、清掃部材４によって摺擦される面を変えることができ、清掃部材４の下面を通過中に異なった面を清掃することができる。
【００５２】
こうして、清掃部材４によって清掃された麻雀牌Ｂは、ターンテーブル13の回転によってターンテーブル13の外周四方に配した牌送り込み機構16側に送られる一方、円環部材２内に投入されている麻雀牌Ｂは、上下駆動機構６によって円環部材２と一体的に円筒体３が上昇して清掃部材４とターンテーブル13との間の隙間を大きくなった時に、順次、その隙間に送り込まれて、上記同様にして清掃部材４によって清掃される。
【００５３】
なお、以上の実施例においては、円筒体３は回転駆動機構６によってターンテーブル13と反対方向に回転鵜駆動させられているが、円筒体３は回転させることなく、上下動を行いながらターンテーブル13の回転力によって清掃部材４に麻雀牌Ｂを摺擦させるように構成しておいても本発明を満足させることができる。また、ターンテーブル13を囲むようにして設けられている自動麻雀卓30における上記側壁16の内周面にも清掃部材７を着脱自在に装着しておき、ターンテーブル13の回転による遠心力によってターンテーブル13の外周部上まで送り出された麻雀牌Ｂをこの清掃部材７によって清掃するように構成しておいてもよい。
【符号の説明】
【００５４】
Ａ  自動清掃装置
１  固定枠体
２  円環部材
2a  カム面
2d  縦溝
３  円筒体
3a  清掃部材取付板
４  清掃部材
５  回転駆動機構
5a  歯車
5b  駆動モータ
5c  ピニオン
６  上下駆動機構
6a  駆動モータ
6c  クランクアーム部材
７  清掃部材
８  支持転子
９  円筒状清掃部材
10  自動麻雀卓
11  天板
12  牌投入口
13  ターンテーブル
14  サイコロ台
15  支柱
【図１】
2019201824.tif 000003
【図２】
2019201824.tif 000004
【図３】
2019201824.tif 000005
【図４】
2019201824.tif 000006
【図５】
2019201824.tif 000007
【図６】
2019201824.tif 000008
【図７】
2019201824.tif 000009
【図８】
2019201824.tif 000010
【図９】
2019201824.tif 000011
【図１０】
2019201824.tif 000012
【図１１】
2019201824.tif 000013
【図１２】
2019201824.tif 000014
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
麻雀牌投入口を設けている天板と麻雀牌を攪拌するターンテーブルとの間の空間部に配設された短筒形状の固定枠体と、この固定枠体の内壁面に沿って上下方向に移動可能に配設した円環部材と、この円環部材に吊支され、下端に清掃部材取付板を設けている円筒体と、この円筒体の上記清掃部材取付板の下面に着脱自在に装着された清掃部材とを備え、上記円筒体内を通じてターンテーブル上に投入された麻雀牌を上記清掃部材の下面に摺擦させながら上記円筒体外に送り出すように構成していることを特徴とする麻雀牌の自動清掃装置。
【請求項２】
円筒体を回転駆動機構によって円環部材に対してターンテーブルの回転方向と逆方向に回転させるように構成していることを特徴とする請求項１に記載の麻雀牌の自動清掃装置。
【請求項３】
円筒体の回転駆動機構は、円環部材に支持された円筒体の上端外周縁部の下面に設けられたリング状の歯車と、上記円環部材に設けられた回転駆動モータと、このモータの回転軸に固着して上記歯車に噛合しているピニオンとからなることを特徴とする請求項１又は請求項２に記載の麻雀牌の自動清掃装置。
【請求項４】
円環部材は固定枠体に対して上下駆動機構によって上下動させられて、清掃部材とターンテーブルとの間の隙間を麻雀牌がターンテーブルから送り出し可能な隙間と送り出しを阻止する隙間とに交互に変化させるように構成していることを特徴とする請求項１に記載の麻雀牌の自動清掃装置。
【請求項５】
上下駆動機構は、上記固定枠体に設けている駆動モータと、このモータの回転軸に固着したクランク部材の先端に取り付けられている駆動転子と、固定枠体の内周面に周方向に所定間隔毎に設けている複数個の支持転子と、円環部材に上記各支持転子に対応して設けられ、支持転子によって受止されている台形状のカム面と、円環部材の外周面に設けられ、上記駆動転子を上下方向に案内する縦溝とからなり、上記駆動モータの駆動により旋回する上記駆動転子によって上記縦溝を介して円環部材を周方向に往復動させて上記支持転子により支持された台形状のカム面を介して円環部材を上下方向に昇降させるように構成していることを特徴とする請求項１又は請求項４に記載の麻雀牌の自動清掃装置。
【請求項６】
円筒体は自動麻雀卓の天板中央部に設けられたサイコロ台の支柱を中心にして麻雀牌投入口を設けている天板と麻雀牌を攪拌するターンテーブルとの間の空間部に配設されてあり、円筒体の中心部にある支柱の外周面に円筒状清掃部材を着脱自在に装着していることを特徴とする請求項１に記載の麻雀牌の自動清掃装置。